(57)【要約】【課題】取り込んだ空気をより効率的にフィルタ部材と次亜塩素酸水へ接触させることで本体内での殺菌効果を高めることのできる空間殺菌装置を提供することを目的とする。【解決手段】本体内にトレイ１０を設け、トレイ１０に満たされた次亜塩素酸水にフィルタ１３を浸水させ、次亜塩素酸水を含浸させたフィルタ部材へ吸込口３より取り込んだ空気を曝露させることで、本体内で殺菌を行う空間殺菌装置において、フィルタ１３は、上面に位置した部分２７と下面に位置した部分２８を側端に位置した部分２９に比べて長くしたことにより、フィルタ１３の無端ベルト内では、空気が次亜塩素酸水の液面に沿って通過する距離を長くすることができる。これにより、従来技術で備えた円筒状のフィルタと比較して、空気を次亜塩素酸水へより長時間接触させることが可能になり、次亜塩素酸水の濃度を上げることなく筐体の内部での空気の殺菌性能を向上させることができる。【選択図】図２
2020000771.tif 000002
【特許請求の範囲】
【請求項１】
筐体に空気の吸込口と吹出口を備え、前記筐体の内部に、前記吸込口と吹出口を連通する通風路と、殺菌を行うフィルタ部を備え、前記吸込口から吸込んだ空気を前記フィルタ部に通過させて吹出口から吹き出す送風機と、前記通風路の前記吸込口から前記フィルタ部までの往路と前記フィルタ部から吹出口までの復路を分離する隔壁とを備えた空間殺菌装置であって、前記フィルタ部は、前記次亜塩素酸水を貯留するトレイと、前記トレイ内の次亜塩素酸水に下面に位置した部分が浸水している通気性を有する無端ベルト状のフィルタとを備え、前記フィルタは、上面に位置する部分と前記下面に位置した部分を側端に位置した部分に比べて長くし、前記上面に位置する部分は前記隔壁によって往路側に位置した部分と復路側に位置した部分に仕切られているものであり、前記吸込口から取り込んだ空気を前記フィルタの前記上面に位置する部分において往路側から復路側へ通過させて前記吹出口から放出する空間殺菌装置。
【請求項２】
前記隔壁の下端にフィルタと接触する滑車を設けた請求項１に記載の空間殺菌装置。
【発明の詳細な説明】
【技術分野】
【０００１】
本発明は、細菌やウィルスなどの浮遊微生物を除去する空間殺菌装置に関する。
【背景技術】
【０００２】
従来、この種の空間殺菌装置のなかには、本体内にトレイを設け、そのトレイに満たされた次亜塩素酸水にフィルタを浸水させ、次亜塩素酸水を含浸させた円筒状のフィルタ部材へ吸込口より取り込んだ空気を曝露させることで、本体内で殺菌を行う殺菌装置があった（例えば、特許文献１参照）。
【先行技術文献】
【特許文献】
【０００３】
【特許文献１】特開平１１−２４４７３０号公報
【発明の概要】
【発明が解決しようとする課題】
【０００４】
このような従来の空気浄化装置においては、本体内での殺菌の性能は取り込んだ空気がフィルタや次亜塩素酸水に接触もしくは通過する時間と、次亜塩素酸水の濃度によって決定されていた。しかし、次亜塩素酸水の濃度は人体への安全性や環境配慮の観点より、無闇に高濃度にすることは推奨されない。
【０００５】
そこで本発明は、上記従来の課題を解決するものであり、次亜塩素酸水の濃度を上げることなく、取り込んだ空気をより効率的にフィルタ部材と次亜塩素酸水へ接触させることで本体内での殺菌効果を高めることのできる空間殺菌装置を提供することを目的とする。
【課題を解決するための手段】
【０００６】
そしてこの目的を達成するために、本発明に係る空間殺菌装置は、筐体に空気の吸込口と吹出口を備え、前記筐体の内部に、前記吸込口と吹出口を連通する通風路と、殺菌を行うフィルタ部を備え、前記吸込口から吸込んだ空気を前記フィルタ部に通過させて吹出口から吹き出す送風機と、前記通風路の前記吸込口から前記フィルタ部までの往路と前記フィルタ部から吹出口までの復路を分離する隔壁とを備えた空間殺菌装置であって、前記フィルタ部は、前記次亜塩素酸水を貯留するトレイと、前記トレイ内の次亜塩素酸水に下面に位置した部分が浸水している通気性を有する無端ベルト状のフィルタとを備え、前記フィルタは、上面に位置する部分と前記下面に位置する部分を側端に位置する部分に比べて長くし、前記上面に位置する部分は前記隔壁によって往路側に位置する部分と復路側に位置する部分に仕切られているものであり、前記吸込口から取り込んだ空気を前記フィルタの前記上面に位置する部分を通過させて前記吹出口から放出するものであり、これにより所期の目的を達成するものである。
【発明の効果】
【０００７】
本発明に係る空間殺菌装置は、筐体に空気の吸込口と吹出口を備え、前記筐体の内部に、前記吸込口と吹出口を連通する通風路と、殺菌を行うフィルタ部を備え、前記吸込口から吸込んだ空気を前記フィルタ部に通過させて吹出口から吹き出す送風機と、前記通風路の前記吸込口から前記フィルタ部までの往路と前記フィルタ部から吹出口までの復路を分離する隔壁とを備えた空間殺菌装置であって、前記フィルタ部は、前記次亜塩素酸水を貯留するトレイと、前記トレイ内の次亜塩素酸水に下面に位置した部分が浸水している通気性を有する無端ベルト状のフィルタとを備え、前記フィルタは、前記上面に位置した部分と前記下面に位置する部分を側端に位置した部分に比べて長くし、前記上面に位置した部分は前記隔壁によって往路側に位置した部分と復路側に位置した部分に仕切られているものであり、前記吸込口から取り込んだ空気を前記フィルタの前記上面に位置する部分を通過させて前記吹出口から放出する構成としたことにより、フィルタの内部に揮発した次亜塩素酸が充満する空間を形成し、室内空間から取り込んだ空気を無端ベルト状のフィルタ内部を通過させることで、次亜塩素酸が充満する空間内で次亜塩素酸水への接触を行うことができ、筐体の内部での空気の殺菌性能を向上させることのできる空間殺菌装置を提供することができる。
【図面の簡単な説明】
【０００８】
【図１】本発明の実施の形態１の空間殺菌装置の概略図
【図２】同空間殺菌装置の断面の概略図
【図３】同空間殺菌装置のトレイの平面の概略図（排水手段と排水タンクは省略した図）
【図４】同実施の形態２の空間殺菌装置の断面の概略図
【発明を実施するための形態】
【０００９】
本発明の請求項１に係る空間殺菌装置は、筐体に空気の吸込口と吹出口を備え、前記筐体の内部に、前記吸込口と吹出口を連通する通風路と、殺菌を行うフィルタ部を備え、前記吸込口から吸込んだ空気を前記フィルタ部に通過させて吹出口から吹き出す送風機と、
前記通風路の前記吸込口から前記フィルタ部までの往路と前記フィルタ部から吹出口までの復路を分離する隔壁とを備えた空間殺菌装置であって、前記フィルタ部は、前記次亜塩素酸水を貯留するトレイと、前記トレイ内の次亜塩素酸水に下面に位置した部分が浸水している通気性を有する無端ベルト状のフィルタとを備え、前記フィルタは、上面に位置する部分と前記下面に位置した部分を側端に位置した部分に比べて長くし、前記上面に位置する部分は前記隔壁によって往路側に位置した部分と復路側に位置した部分に仕切られているものであり、前記吸込口から取り込んだ空気を前記フィルタの前記上面に位置する部分において往路側から復路側へ通過させて前記吹出口から放出するものである。
【００１０】
これにより、フィルタの内部に揮発した次亜塩素酸が充満する空間を形成し、室内空間から取り込んだ空気を無端ベルト状のフィルタ内部を次亜塩素酸水の液面に沿って通過させることで、次亜塩素酸水へ接触させることができ、筐体の内部での空気の殺菌性能を向上させることのできる空間殺菌装置を提供することができる。
【００１１】
また、請求項２に係る空間殺菌装置は、前記隔壁の下端にフィルタと接触する滑車を設けたものである。
【００１２】
これにより、フィルタが通風路を遮る形となり、吸込口から取り込んだ空気を前記フィルタの内部を通過させ、次亜塩素酸水との気液接触を行うことが可能になる。
【００１３】
以下、本発明の実施の形態について図面を参照しながら説明する。
【００１４】
（実施の形態１）
図１に本実施の形態の空間殺菌装置１の外観を示す。
【００１５】
図１に示すように、略箱形状の本体ケース２を備え、その両側面には室内空気を吸い込む略四角形状の吸込口３と、天面には浄化された空気を吹き出す略四角形状の吹出口４を設けている。
【００１６】
図２に示すように、本体ケース２内部には、通風路５と、送風機６と、トレイ１０と、フィルタ部７と、給水タンク８と、排水タンク９と、制御部１１とが設けられている。
【００１７】
通風路５は、本体ケース２の内部において、フィルタ部７と送風機６を通る風路であって、吸込口３から吹出口４までを連通させている。
【００１８】
送風機６は、本体ケース２の上部に設けられ、吹出口４に接続されている。送風機６は、一例として、モータとモータにより回転する羽根車と該モータと羽根車を囲むケースとから構成されるいわゆるシロッコファンを備えることが望ましい。
【００１９】
通風路５の吸込口３からフィルタ部７までの往路２５とフィルタ部７から吹出口４までの復路２６を分離するように隔壁１２が設けられている。
【００２０】
トレイ１０は次亜塩素酸水を貯留するものである。
【００２１】
フィルタ部７は、トレイ１０とフィルタ１３と、２つの回転軸、すなわち回転軸１４と回転軸１５とを備えている。
【００２２】
フィルタ１３は、通気性を有する無端ベルト状のものであり、その表面に複数の開口部を有している。両側端に設けられた回転軸１４、回転軸１５の２つの回転軸によって回転可能な無端ベルト状の長円形状体を形成している。つまり、フィルタ１３は、回転軸１４と回転軸１５を横断する断面において長円形の軌道を有している。
【００２３】
フィルタ１３は、無端ベルト状であるので、無端ベルトは、回転位置によって、上面に位置した部分２７と下面に位置した部分２８と側端に位置した部分２９が識別でき、上面に位置した部分２７は、隔壁１２との位置関係で、往路側に位置した部分３０と、復路側に位置した部分３１に識別できる。
【００２４】
上面に位置した部分２７と下面に位置した部分２８の長さを回転軸１４、回転軸１５を配置した側端に位置した部分２９の長さに比べて長くし、さらに、上面に位置した部分２７は隔壁１２によって往路側に位置した部分３０と復路側に位置した部分３１に仕切られている。つまり、フィルタ１３の上面に位置した部分２７は、隔壁１２との位置関係で、往路側に位置した部分３０と、復路側に位置した部分３１に区分けすることができる。
【００２５】
そして、送風機６よりも気流の上流側において、フィルタ１３の表面（上面に位置する部分２７）が通風路５を遮るように設けられている。
【００２６】
また、フィルタ１３の下面に位置した部分２８は、トレイ１０内の次亜塩素酸水に浸水させている（次亜塩素酸の水面３２の高さはフィルタ１３の下面の高さよりも高い位置にある）。トレイ１０内において、フィルタ１３の内側まで次亜塩素酸水によってフィルタ１３を浸水させることが重要である。
【００２７】
フィルタ１３の下面に位置した部分をトレイ１０内の次亜塩素酸水に浸水させることによって、フィルタ１３の上面に位置した部分２７と側端に位置した部分２９と次亜塩素酸水（次亜塩素酸水の水面３２）によって揮発した次亜塩素酸が充満する空間を形成することができる。
【００２８】
給水タンク８と排水タンク９とトレイ１０は、本体ケース２の下部に設けられており、これらは本体ケース２から取り外すことが可能である。
【００２９】
給水タンク８は、電解対象液として塩化ナトリウム溶液を貯留しており、トレイ１０内の塩化ナトリウム溶液の量に応じて、新たに塩化ナトリウム溶液を供給するものである。
【００３０】
トレイ１０内には、電極２０を有する電解槽部２１と、排水手段１７と水移送部２２を有する貯留槽部１６とが設けられている。貯留槽部１６と電解槽部２１は仕切り板２３によって仕切られている。仕切り板２３において、貯留槽部１６と電解槽部２１間での溶解液の移動を制限するために、仕切り板２３の一端側の下部に隙間２４を備えている。
【００３１】
排水タンク９は、貯留槽部１６の内部の溶解液を排出するものである。
【００３２】
貯留槽部１６の内部の溶解液を排水タンク９に排出できるように排水手段１７を備えている。排水手段１７は、貯留槽部１６側に配置したポンプ１８とポンプ１８から排水タンク９側へ接続した配管１９とで構成している。
【００３３】
電解槽部２１は、給水タンク８から供給された塩化ナトリウムを電極２０で電気分解して溶解液として次亜塩素酸水を生成するものである。
【００３４】
前述の貯留槽部１６と排水タンク９の関係のように、水移送部２２は、貯留槽部１６の貯留水を電解槽部２１へと移送できるように貯留槽部１６側に配置したポンプ１８とポンプ１８から電解槽部２１側へ接続した配管１９とで構成している。図３に示すように、ポンプ１８は、隙間２４を備えた仕切り板２３の前記一端側ではなく仕切り板２３の他端側に配置している。
【００３５】
貯留槽部１６の貯留水を電解槽部２１へ移送すると、電解槽部２１で生成した次亜塩素酸水は、隙間２４を通過して貯留槽部１６側へ供給されるものである。
【００３６】
本実施の形態では、貯留槽部１６の貯留水を電解槽部２１へ移送することにともない、隙間２４を通過して電解槽部２１から貯留槽部１６への貯留水（次亜塩素酸水）の移動を引き起こしトレイ１０内の貯留水を循環させることができるものである。
【００３７】
フィルタ１３に電気分解した次亜塩素酸水を供給するためには、図３に示すようにフィルタ１３の回転軸１４、回転軸１５と仕切り板２３を並行にして設けることが好ましい。
【００３８】
フィルタ１３の回転方向は、上面に位置した部分２７が復路２６から往路２５に移動する方向であることが好ましい。フィルタ１３の内側において、上面に位置した部分２７の動く方向が風向きと対向すると取り込んだ空気のフィルタ１３への接触効率が向上するため、フィルタ１３に含まれる次亜塩素酸水による殺菌性能が向上するからである。
【００３９】
制御部１１は、水移送部２２と電極２０と送風機６の動作制御するものである。
【００４０】
上記構成によって、送風機６の駆動によって、吸込口３から取り込んだ空気は、フィルタ１３を往路２５側から復路２６側へ通過させて吹出口４から放出させることができる。
【００４１】
より詳しく説明すると、フィルタ１３の内側には、フィルタ１３の上面に位置した部分２７と側端に位置した部分２９と次亜塩素酸の水面３２によって揮発した次亜塩素酸が充満する空間を形成している。復路２６側に配置した送風機６の吸引力によって、吸込口３から取り込んだ空気は、フィルタ１３の上面に位置した部分２７において往路２５側（往路側に位置した部分３０）から無端ベルト内へ進入する。フィルタ１３（無端ベルト）内では、次亜塩素酸の水面３２が存在することと無端ベルトによって空間が形成されていることから、揮発した次亜塩素酸が充満しており、復路２６側に向けて流れる空気は次亜塩素酸に十分に触れることとなる。そして、復路２６側（復路側に位置した部分３１）から無端ベルト外へ排出させて、さらに吹出口４から放出させることができる。
【００４２】
フィルタ１３は、上面に位置した部分２７と下面に位置した部分２８を側端に位置した部分２９に比べて長くしたことにより、フィルタ１３の無端ベルト内では、空気が次亜塩素酸水の液面に沿って通過する距離を長くすることができる。これにより、従来技術で備えた円筒状のフィルタと比較して、空気を次亜塩素酸水へより長時間接触させることが可能になり、次亜塩素酸水の濃度を上げることなく筐体の内部での空気の殺菌性能を向上させることのできる空間殺菌装置を提供することができる。
【００４３】
（実施の形態２）
実施の形態１の構成において、空間殺菌装置１は、吸込口３より取り込んだ空気の全てをフィルタ１３に通過させることが望ましい。
【００４４】
そこで、本実施の形態では、図４に示すように、隔壁１２の下端にフィルタ１３と接触する滑車３５を設けたものである。
【００４５】
この構成にしたことにより、滑車３５がフィルタ１３の上面に位置した部分２７と密着することで、隔壁１２と滑車３５とフィルタ１３が通風路５の往路を遮る形となり、吸込口３から取り込んだ空気をフィルタ１３の内部を通過させ、次亜塩素酸水との気液接触を行うことが可能になる。
【００４６】
このようにして、空間殺菌装置１は室内空間から取り込んだ空気を筐体の内部で効率よく殺菌することができる。
【産業上の利用可能性】
【００４７】
本発明に係る空間殺菌装置は、次亜塩素酸による殺菌の運転時に、吸込口から取り込んだ空気をフィルタの内部に形成した揮発した次亜塩素酸が充満する空間に通風させることで、次亜塩素酸が充満する空間内で次亜塩素酸水への接触を行うことができるもので、医療施設や介護施設等の明確な除菌脱臭目的が存在する空間において、より短時間で空間の殺菌運転を行うことのできる空間殺菌装置として有用である。
【符号の説明】
【００４８】
１    空間殺菌装置
２    本体ケース
３    吸込口
４    吹出口
５    通風路
６    送風機
７    フィルタ部
８    給水タンク
９    排水タンク
１０    トレイ
１１    制御部
１２    隔壁
１３    フィルタ
１４    回転軸
１５    回転軸
１６    貯留槽部
１７    排水手段
１８    ポンプ
１９    配管
２０    電極
２１    電解槽部
２２    水移送部
２３    仕切り板
２４    隙間
２７    上面に位置した部分
２８    下面に位置した部分
２９    側端に位置した部分
３０    往路側に位置した部分
３１    復路側に位置した部分
３２    次亜塩素酸の水面
３５    滑車
【図１】
2020000771.tif 000003
【図２】
2020000771.tif 000004
【図３】
2020000771.tif 000005
【図４】
2020000771.tif 000006